(57)【要約】【課題】送信用および受信用の各ローカル信号の周波数を設定するために、外部から個別にデータを与えるようにした場合、データを伝送する制御線が２本必要になる。【解決手段】受信系および送信系の各周波数設定回路１２，２２に対して単一の制御線３４によって例えば受信用ローカル信号の周波数に対応したデータＤＡＴＡを共通に与え、受信系では当該データＤＡＴＡをそのまま用いて受信用ローカル信号の周波数を設定する一方、送信系ではデータＤＡＴＡに一定周波数分のオフセットを付与して送信用ローカル信号の周波数を設定するようにする。【選択図】　　　　図１
2004088529.tif 000002
【特許請求の範囲】
【請求項１】
設定されるデータに応じて異なる周波数のローカル信号をそれぞれ発生する複数のローカル信号発生手段と、
前記複数のローカル信号発生手段のうちの１つのローカル信号発生手段に対して、外部から単一の制御線によって伝送される第１周波数に対応したデータを設定する第１の周波数設定手段と、
前記複数のローカル信号発生手段のうちの残りのローカル信号発生手段に対して、前記単一の制御線によって伝送される前記第１周波数に対応したデータを基に、当該第１周波数と異なる第２周波数に対応したデータを設定する第２の周波数設定手段と
を備えたことを特徴とする周波数シンセサイザ回路。
【請求項２】
前記第１の周波数設定手段は、前記単一の制御線によって伝送され、異なる周波数に対応した複数のデータを保持する第１のデータ保持手段と、前記第１のデータ保持手段に保持された前記複数のデータの中から１つを選択して前記１つのローカル信号発生手段に与える第１の選択手段とを有し、
前記第２の周波数設定手段は、前記単一の制御線によって伝送される前記複数のデータを保持する第２のデータ保持手段と、前記第２のデータ保持手段に保持された前記複数のデータの中から１つを選択する第２の選択手段と、前記第２の選択手段によって選択されたデータに一定周波数分のオフセットを付与して前記残りのローカル信号発生手段に与えるオフセット付与手段とを有する
ことを特徴とする請求項１記載の周波数シンセサイザ回路。
【請求項３】
前記第１，第２のデータ保持手段へのデータの設定は、低消費電力モードであるスリープ期間に行う
ことを特徴とする請求項２記載の周波数シンセサイザ回路。
【請求項４】
前記単一の制御線によって伝送されるデータは、前記複数のローカル信号発生手段を同時にまたは個別にコントロールするためのコントロールビットを含む
ことを特徴とする請求項１記載の周波数シンセサイザ回路。
【請求項５】
前記単一の制御線によって伝送されるデータは、前記複数のローカル信号発生手段をある一定の周波数間隔を保ってコントロールするためのコントロールビットを含む
ことを特徴とする請求項１記載の周波数シンセサイザ回路。
【請求項６】
前記周波数間隔が可変である
ことを特徴とする請求項５記載の周波数シンセサイザ回路。
【請求項７】
送信用ローカル信号発生手段と、受信用ローカル信号発生手段と、前記送信用ローカル信号発生手段および前記受信用ローカル信号発生手段でそれぞれ発生される各ローカル信号の周波数を設定する周波数設定手段とを具備し、
前記周波数設定手段が、
前記送信用ローカル信号発生手段および前記受信用ローカル信号発生手段の一方に対して、外部から単一の制御線によって伝送される第１周波数に対応したデータを設定する第１の設定手段と、
前記送信用ローカル信号発生手段および前記受信用ローカル信号発生手段の他方に対して、前記単一の制御線によって伝送される前記第１周波数に対応したデータを基に、当該第１周波数と異なる第２周波数に対応したデータを設定する第２の設定手段とを有する
ことを特徴とする無線通信装置。
【請求項８】
前記送信用ローカル信号発生手段および前記受信用ローカル信号発生手段をマルチバンドのバンド数に対応して複数組有する無線通信装置において、
前記第１の設定手段は、前記複数組のうちの１組の前記送信用ローカル信号発生手段および前記受信用ローカル信号発生手段の一方に対して前記第１周波数に対応したデータを設定し、
前記第２の設定手段は、前記１組の前記送信用ローカル信号発生手段および前記受信用ローカル信号発生手段の他方および残りの組の前記送信用ローカル信号発生手段および前記受信用ローカル信号発生手段に対して、前記第１周波数に対応したデータを基に異なる周波数に対応したデータをそれぞれ設定する
ことを特徴とする請求項７記載の無線通信装置。
【発明の詳細な説明】
【０００１】
【発明の属する技術分野】
本発明は、周波数シンセサイザ回路および無線通信装置に関し、特に送信部および受信部の各ローカル信号の周波数を設定するための周波数シンセサイザ回路およびこれを送信部および受信部の各ローカル信号の周波数設定のために用いた無線通信装置に関する。
【０００２】
【従来の技術】
送受信機を備えた無線通信装置、例えば携帯電話では、送信周波数と受信周波数とが異なるが故に、それぞれの周波数に対応したローカル信号を発生するローカル発振器および当該発振器の発振周波数を設定する周波数シンセサイザが送信部および受信部に個別に設けられている。そして、携帯電話においては、従来、送信用および受信用の各周波数シンセサイザ回路に対して外部から個別にデータを与えることで、送信用および受信用の各ローカル信号の周波数を設定する構成が採られていた。
【０００３】
【発明が解決しようとする課題】
しかしながら、送信用および受信用の各ローカル信号の周波数を設定するために、外部から個別にデータを与える構成を採る従来例に係る無線通信装置、例えば携帯電話では、別々のデータを伝送するためには制御線が２本必要になる。特に、マルチバンド（複数の周波数帯域）対応の携帯電話の場合には、各バンドごとに送受信機を持つことになり、これに伴ってデータ伝送の制御線が２×バンド数分だけ必要になるため、実装基板の配線が非常に複雑になってしまう。
【０００４】
また、個別にデータ設定を行うため、複雑な周波数コントロールを短時間で行うことが難しい。特に、シリアルコマンド等で周波数コントロールを行う場合には、各周波数シンセサイザ回路にデータを順に送ることになるため、設定時間が長くなってしまう。また、例えばＷ（Ｗｉｄｅ−ｂａｎｄ）−ＣＤＭＡ方式のように、送受信の各ローカル信号の周波数がある関係を保っている場合にも、個別にデータを設定する必要があるため、設定時間が長くなるだけでなく、データ量も膨大なものとなってしまう。
【０００５】
本発明は、上記課題に鑑みてなされたものであり、その目的とするところは、単一の制御線で複数のローカル周波数のコントロールが可能な周波数シンセサイザ回路およびこれを用いた無線通信装置を提供することにある。
【０００６】
【課題を解決するための手段】
本発明による周波数シンセサイザ回路は、設定されるデータに応じて異なる周波数のローカル信号をそれぞれ発生する複数のローカル信号発生手段と、前記複数のローカル信号発生手段のうちの１つのローカル信号発生手段に対して、外部から単一の制御線によって伝送される第１周波数に対応したデータを設定する第１の周波数設定手段と、前記複数のローカル信号発生手段のうちの残りのローカル信号発生手段に対して、前記単一の制御線によって伝送される前記第１周波数に対応したデータを基に、当該第１周波数と異なる第２周波数に対応したデータを設定する第２の周波数設定手段とを備えた構成となっている。この周波数シンセサイザ回路は、送受信機を具備する携帯電話に代表される無線通信装置において、送信用ローカル信号発生手段および受信用ローカル信号発生手段の各ローカル信号の周波数を設定するのに用いられる。
【０００７】
上記構成の周波数シンセサイザ回路、またはこれを用いた無線通信装置において、第１の周波数設定手段は、複数のローカル信号発生手段のうちの１つのローカル信号発生手段に対して、外部から単一の制御線によって伝送される第１周波数に対応したデータを設定する。すると、１つのローカル信号発生手段は、この設定されたデータに基づいて第１周波数のローカル信号を発生する。第２の周波数設定手段は、外部から個別にデータが設定されるのではなく、第１の周波数設定手段に与えられる第１周波数に対応したデータを基に、当該第１周波数と異なる第２周波数に対応したデータを残りのローカル信号発生手段に設定する。すると、残りのローカル信号発生手段は、この設定されたデータに基づいて第１周波数と異なる第２周波数のローカル信号を発生する。ここで、残りのローカル信号発生手段としては１つに限らず、複数の場合もある。残りのローカル信号発生手段が複数の場合は、当然のことながら、第２周波数として異なる周波数が設定されることになる。
【０００８】
【発明の実施の形態】
以下、本発明の実施の形態について図面を参照して詳細に説明する。図１は、本発明の一実施形態に係る周波数シンセサイザ回路の構成を示すブロック図である。
【０００９】
図１から明らかなように、本実施形態に係る周波数シンセサイザ回路は、受信系周波数シンセサイザ回路１０および送信系周波数シンセサイザ回路２０からなり、データ入力端子３１およびローカル信号出力端子３２，３３を有する構成となっている。受信系周波数シンセサイザ回路１０は、例えばＰＬＬ（Ｐｈａｓｅ　Ｌｏｃｋｅｄ　Ｌｏｏｐ）回路構成のローカル信号発生回路１１と、このローカル信号発生回路１１で発生される受信用ローカル信号の周波数を設定する周波数設定回路１２とから構成されている。送信系周波数シンセサイザ回路２０も同様に、ローカル信号発生回路２１および周波数設定回路２２から構成されている。
【００１０】
周波数設定回路１２，２２には、データ入力端子３１から入力され、単一の制御線３４によって伝送されるデータＤＡＴＡが共通に与えられる。このデータＤＡＴＡは、受信用ローカル信号および送信用ローカル信号の一方、例えば受信用ローカル信号の周波数を設定するためのものである。したがって、周波数設定回路１２は制御線３４によって伝送されるデータＤＡＴＡを受け、このデータＤＡＴＡをそのままローカル信号発生回路１１に設定する。すると、ローカル信号発生回路１１はこの設定されたデータに応じた周波数の受信用ローカル信号を発生する。この受信用ローカル信号は、出力端子３２を通して受信部の混合器（図示せず）に供給される。
【００１１】
一方、周波数設定回路２２は制御線３４によって伝送されるデータＤＡＴＡを受け、このデータＤＡＴＡを基に受信用ローカル信号の周波数と異なる周波数、具体的には一定周波数だけ高い周波数もしくは低い周波数に対応したデータをローカル信号発生回路２１に設定する。すると、ローカル信号発生回路２１はこの設定されたデータに応じた周波数の送信用ローカル信号を発生する。この送信用ローカル信号は、出力端子３３を通して送信部の混合器（図示せず）に供給される。
【００１２】
上述したように、受信系および送信系の各周波数設定回路１２，２２に対して単一の制御線３４によって例えば受信用ローカル信号の周波数に対応したデータＤＡＴＡを共通に与え、受信系では当該データＤＡＴＡをそのまま用いて受信用ローカル信号の周波数を設定する一方、送信系ではデータＤＡＴＡに一定周波数分のオフセットを付与して送信用ローカル信号の周波数を設定することで、単一の制御線３４で受信系および送信系の各周波数シンセサイザ回路１０，２０のコントロールが可能になる。これにより、従来２本必要であった制御線３４を１本削減できるため、実装基板の配線の簡略化が可能になる。
【００１３】
なお、本実施形態では、単一の制御線３４によって伝送するデータＤＡＴＡを受信用ローカル信号の周波数に対応したデータとしたが、送信用ローカル信号の周波数に対応したデータとしても良いことは勿論である。この場合には、送信系で当該データＤＡＴＡをそのまま用いて送信用ローカル信号の周波数を設定する一方、受信系ではデータＤＡＴＡに一定周波数分のオフセットを付与して受信用ローカル信号の周波数を設定するようにすれば良い。
【００１４】
また、本実施形態では、１組の受信系および送信系を有する場合を例に挙げて説明したが、マルチバンド（複数の周波数帯域）対応の場合には、受信系および送信系がそのバンド数に対応して複数組設けられることになる。このように、複数組の受信系および送信系を有する場合にも本発明は適用可能である。
【００１５】
例えば、Ａバンド、Ｂバンドのデュアルバンドの場合を例に採ると、図２に示すように、Ａバンド用周波数設定回路１２Ａ，２２ＡおよびＢバンド用周波数設定回路１２Ｂ，２２Ｂに対して単一の制御線３４によってデータＤＡＴＡを伝送するようにする。このとき、データＤＡＴＡをＡバンドの受信用、送信用ローカル信号の各周波数およびＢバンドの受信用、送信用ローカル信号の各周波数の何れかに対応させる一方、他のローカル信号については当該データＤＡＴＡを基にそれぞれ異なる周波数を設定するようにすれば良い。
【００１６】
このように、マルチバンド対応の場合には、実装基板の配線の簡略化の効果がさらに大となる。すなわち、上述したデュアルバンドの場合を例に採ると、各周波数シンセサイザ回路ごとにデータを設定していた従来例の場合には制御線が４本必要であったのに対して、本発明によれば、１本の制御線で済み、制御線を３本削減できるため、実装基板の配線をさらに簡略化できる。
【００１７】
受信系周波数シンセサイザ回路１０および送信系周波数シンセサイザ回路２０において、周波数設定回路１２，２２はその機能が若干異なるものの、ローカル信号発生回路１１，２１については全く同じ構成となっている。図３に、周波数シンセサイザ回路（受信系周波数シンセサイザ回路１０／送信系周波数シンセサイザ回路２０）の構成の一例を示す。
【００１８】
本例に係るローカル信号発生回路１１（２１）は、固定発振器４１、リファレンスカウンタ４２、プログラマブルカウンタ４３、位相比較器４４、ループフィルタ４５およびＶＣＯ（電圧制御発振器）４６を有する構成となっている。固定発振器４１は所定周波数で発振する。リファレンスカウンタ４２は、固定発振器４１の発振クロックを分周し、その分周クロックをリファレンス周波数ｆｒｅｆ　のクロックとして位相比較器４４の一方の入力に与える。
【００１９】
プログラマブルカウンタ４３は、ＶＣＯ４６の発振周波数ｆｖｃｏ　のクロックを１／ｎ分周し、その分周クロック１／ｎ＊ｆｖｃｏ　を位相比較器４４の他方の入力に与える。プログラマブルカウンタ４３の分周比１／ｎは、周波数設定回路１２（２２）から与えられるデータによって設定される。位相比較器４４は、リファレンス周波数ｆｒｅｆ　のクロックとＶＣＯ発振周波数ｆｖｃｏ　の１／ｎのクロックとの位相を比較し、その位相差に応じた信号を出力する。
【００２０】
ループフィルタ４５は、位相比較器４４から出力される位相差信号を平滑化してＶＣＯ４６にその制御電圧として与える。ＶＣＯ４６は、ループフィルタ４５から与えられる制御電圧に応じて発振周波数が変化し、その発振クロックｆｖｃｏ　をプログラマブルカウンタ４３に与える。以上により、１／ｎ＊ｆｖｃｏ　＝ｆｒｅｆ　となるように帰還をかけるＰＬＬが構成される。
【００２１】
このＰＬＬ構成のローカル信号発生回路１１（２１）において、プログラマブルカウンタ４３の分周比１／ｎを、周波数設定回路１２（２２）を通して外部から与えるデータＤＡＴＡによって設定することにより、ＶＣＯ発振周波数ｆｖｃｏ　を変化させ、所望の周波数のローカル信号ｆＬＯを得ることができる。このローカル信号ｆＬＯは、受信部（送信部）の混合器（図示せず）に供給する。
【００２２】
図４は、周波数設定回路１２（２２）の具体的な構成例を示すブロック図である。ここでは、ローカル信号の周波数として、異なるｎ個（ｎは任意の整数）の周波数を任意に設定できるものとし、またこれら周波数を設定するデータＤＡＴＡとして、ｎ個の周波数にそれぞれ対応したｎ個のシリアルデータが時系列で入力されるものとする。
【００２３】
本例に係る周波数設定回路１２（２２）は、ｎ個のシリアル（ｓ）−パラレル（ｐ）変換回路５１−１〜５１−ｎ、ｎ個のデータ保持回路５２−１〜５２−ｎ、選択スイッチ５３、加算器５４およびオフセット周波数設定回路５５を有する構成となっている。シリアル−パラレル変換回路５１−１〜５１−ｎは、時系列で入力されるｎ個のシリアルデータを順次パラレルデータに変換する。このシリアル−パラレル変換されたｎ個の周波数設定データは、ｎ個のデータ保持回路５２−１〜５２−ｎにそれぞれ保持される。
【００２４】
選択スイッチ５３は、データ保持回路５２−１〜５２−ｎに保持されたｎ個の周波数設定データの中の１つを、例えば外部から与えられる選択情報に基づいて選択して出力する。この選択された周波数設定データは、加算器５４にその一方の入力として与えられる。オフセット周波数設定回路５５には、データ保持回路５２−１〜５２−ｎに保持されたｎ個の周波数設定データにそれぞれ付与するためのオフセットデータが予め格納されている。
【００２５】
ここで、オフセットデータとは、データ保持回路５２−１〜５２−ｎに保持されたｎ個の周波数設定データで決まるｎ個の周波数の各々に対して、ある一定周波数分のオフセットを付与するために、選択スイッチ５３で選択された周波数設定データに対して加算または減算する一定周波数に対応したデータである。
【００２６】
オフセット周波数設定回路５５は、外部から与えられる選択情報に基づいて、選択スイッチ５３で選択された周波数設定データに対応したオフセットデータを選択して出力する。このオフセットデータは、加算器５４にその他方の入力として与えられることにより、選択スイッチ５３で選択された周波数設定データに加算または減算される。すなわち、加算器５４およびオフセット周波数設定回路５５は、ローカル信号の周波数を設定する周波数設定データに対して一定周波数分のオフセットを付与するオフセット付与手段として機能する。
【００２７】
ここで、オフセットデータが０の場合は、選択スイッチ５３で選択された周波数設定データに対してオフセットが付与されないことになり、これは上記オフセット付与手段が機能しないことを意味する。したがって、図４の回路構成の周波数設定回路を、受信系の周波数設定回路１２および送信系の周波数設定回路２２として用いるものとすると、先述した例の場合には、周波数設定回路１２についてはオフセット周波数設定回路５５に０のオフセットデータを設定するようにすれば良い。
【００２８】
このことは、受信系の周波数設定回路１２および送信系の周波数設定回路２２として、別々の回路構成の周波数設定回路を設計しなくても、オフセット周波数設定回路５５に対するオフセットデータの設定を変えるだけで、図４の回路構成の周波数設定回路を受信系の周波数設定回路１２および送信系の周波数設定回路２２に共通に使用できることを意味する。この共通使用により、コスト低減を図ることができる。
【００２９】
上述したように、ローカル信号の周波数を設定する周波数設定回路１２，２２においては、複数のデータ保持回路５２−１〜５２−ｎを備えて複数の周波数設定データを予め保持しておき、その中から１つの周波数設定データを適宜選択することで、データ設定を予め行うことができ、また前の周波数設定データに戻ることも可能であるため、データ設定時間を短縮でき、またローカル信号の周波数の切り換え動作を迅速に行うことが可能になる。
【００３０】
ここまで、周波数設定データが周波数情報のみを持つものとして説明したが、周波数設定データに各種の制御を行わせるためのコントロールビットを持たせることも可能である。以下、このコントロールビットについて説明する。
【００３１】
周波数設定データにコントロールビットを持たせることにより、単一の制御線を通しての複数の周波数シンセサイザ回路についての同時コントロールあるいは個別コントロールが可能になる。具体的には、コントロールビットで複数の周波数シンセサイザ回路のうちのどの周波数シンセサイザ回路に対して周波数設定データを送るかなど、制御線を増やすことなく、複数の周波数シンセサイザ回路についてコントロールが可能になる。
【００３２】
また、コントロールビットの設定により、複数の周波数シンセサイザ回路に同時に、または選択した周波数シンセサイザ回路のみにデータを送るようにすることも可能である。さらに、先述した周波数設定回路１２，２２の回路構成の説明においては、切り換えスイッチ５３の切り換えおよびオフセット周波数設定回路５５のオフセットデータの選択を外部から与えられる選択情報に基づいて行うとしたが、この選択情報をコントロールビットに持たせることことも可能である。これにより、選択情報を外部から取り込むための端子を削減できる。
【００３３】
また、複数の周波数シンセサイザ回路については、同時または個別にコントロールする以外に、ある一定の周波数間隔ｆｏｆｆ　を保ってコントロールするための情報をコントロールビットに持たせるようにすることも可能である。上述したコントロールビットによる機能に、周波数間隔ｆｏｆｆ　による機能を付加することにより、例えば、無線端末の送受信周波数がある一定の周波数間隔を保ったシステムにおいて、周波数シンセサイザ回路の送受同時コントロールが可能になる。また、周波数間隔ｆｏｆｆ　を可変にすることで、周波数間隔が異なるシステム、あるいは周波数間隔が変化するシステムにも対応可能になる。周波数間隔ｆｏｆｆについては、周波数間隔データを与えることで任意に設定可能である。
【００３４】
図５に、周波数同時コントロールの場合のコントロールビットとそのビット内容との関係を示す。この例では、送信（ＴＸ）周波数・受信（ＲＸ）周波数のどちらを基準にするかを設定するコントロールビット（ｃｏｎｔｒｏｌ　ｂｉｔ０）と、周波数間隔としてある一定値（例えば、１９０ＭＨｚ）を与える場合と別のビットで設定した値を与える場合のコントロールビット（ｃｏｎｔｒｏｌ　ｂｉｔ１）と、周波数の同時送り機能の使用・不使用を設定するコントロールビット（ｃｏｎｔｒｏｌ　ｂｉｔ２）とを有している。図６に、送信（ＴＸ）周波数を基準にした場合の送信ローカル信号の周波数ｆｔｘと受信ローカル信号の周波数ｆｒｘとの関係を示す。
【００３５】
このように、周波数設定データにコントロールビットを持たせることにより、先述したように、複数の周波数シンセサイザ回路についての同時コントロールあるいは個別コントロールが可能になることに加えて、外部からデータ量、データ送り時間を増やすことなく、複雑な送受信の周波数コントロールが可能になる。これにより、最低限の設定データ量で、複数のデータへの遷移や、あらゆるコントロールモードに対応できるため、メモリの節約が可能になる。
【００３６】
このコントロールビットを用いての周波数コントロールは、例えば、Ｗ−ＣＤＭＡ方式のコンプレスモード時に有効である。ここで、コンプレスモードについて、図７を用いて説明する。ある受信ｃｈ（受信ｃｈ１）での受信状態が悪いときに、受信周波数をずらして他のｃｈ（受信ｃｈ２）の電波状況を見て、一旦元のｃｈ（受信ｃｈ１）に戻ってから、どこのｃｈで受信するかを決定する。
【００３７】
このときのギャップ（ｇａｐ）は、遷移前後の基地局送信電力を上げることによって埋める（ｃｏｍｐｒｅｓｓ）。このとき、遷移に許される時間は２００μｓ以下である。また、受信ｃｈのみ動かすので送受信周波数間隔は変化する。このように、コンプレスモードでは周波数を切り換える時間が非常に短くなければならないという制約がある。これに対して、コンプレスモードで先述した周波数コントロールを用いれば、周波数設定データの切り換えだけで良いため、極めて短時間に周波数の切り換えを実現できる。
【００３８】
ところで、携帯電話等の移動無線通信端末（装置）では、電池の持続時間も大きな課題である。そのため、送受信ＩＣの低消費電力モードであるスリープ（Ｓｌｅｅｐ）のＯＮ／ＯＦＦの切り換えを頻繁に行っている。そこで、周波数設定データ、またはコントロールビットを含む周波数設定データの複数の周波数シンセサイザ回路への設定については、送受信ＩＣのスリープ期間に行うようにすれば良い。
【００３９】
このように、送受信ＩＣのスリープ期間を利用して周波数シンセサイザ回路に対するデータ設定を行い、またその設定したデータを保持しておくことにより、スリープ期間が終了して動作状態に戻った際のデータ再送出の必要がなくなるため、回路の立ち上がり時間の短縮が可能となる。
【００４０】
［適用例］
以上説明した本発明の一実施形態に係る周波数シンセサイザ回路は、無線通信装置、例えばＣＤＭＡ方式携帯電話におけるＲＦフロントエンド部を構成するのに用いられる。図８は、ＣＤＭＡ方式携帯電話におけるＲＦフロントエンド部の構成の一例を示すブロック図である。
【００４１】
図８において、アンテナ６１で受信された受信波は、送信／受信に共用される帯域振分けフィルタ６２を通過し、ＡＧＣアンプ６３で信号レベルが一定にされた後混合器６４に供給される。混合器６４では、受信したＲＦ信号に対して受信系周波数シンセサイザ回路６５から供給される受信用ローカル信号が混合されることによって中間周波（ＩＦ）に変換された後、後段のベースバンドＩＣ６６に供給される。
【００４２】
一方、送信側では、前段のベースバンドＩＣ６６から供給されるＩＦ信号がミ混合器６７に供給され、ここで送信系周波数シンセサイザ回路６８から供給される送信用ローカル信号と混合されてＲＦ信号に変換される。そして、このＲＦ信号は、パワーアンプ６９で増幅された後帯域振分けフィルタ９２を経てアンテナ６１に供給され、このアンテナ６１から電波として送信される。
【００４３】
上記構成のＣＤＭＡ方式携帯電話のＲＦフロントエンド部において、受信系周波数シンセサイザ回路６５および送信系周波数シンセサイザ回路６８として、図１に示した周波数シンセサイザ回路が用いられる。なお、マルチバンド、例えばデュアルバンド対応の携帯電話の場合には、図２に示した周波数シンセサイザ回路が用いられる。
【００４４】
このように、携帯電話に代表される無線通信装置におけるＲＦフロントエンド部において、受信部および送信部の各ローカル信号の周波数を設定する周波数シンセサイザ回路として、先述した実施形態に係る周波数シンセサイザ回路を用いることにより、当該周波数シンセサイザ回路は送受信ＩＣの実装基板の配線を簡略化できるため、無線通信装置そのものの構成の簡略化に大きく寄与でき、特に携帯電話などの携帯型無線通信装置に適用した場合にその効果が大である。
【００４５】
なお、上記適用例では、ＣＤＭＡ方式の携帯電話に適用した場合を例に挙げて説明したが、本発明はこの適用例に限定されるものではなく、送受信機を具備する無線通信装置全般に適用することが可能である。
【００４６】
【発明の効果】
以上説明したように、本発明によれば、複数のローカル信号発生手段のうちの１つのローカル信号発生手段に対して、外部から単一の制御線によって伝送される第１周波数に対応したデータを設定する一方、当該データを基に残りのローカル信号発生手段に第１周波数と異なる第２周波数に対応したデータを設定するようにしたことにより、単一の制御線で受信系および送信系の各周波数シンセサイザ回路のコントロールが可能になり、従来２本必要であった制御線を１本削減できるため、実装基板の配線の簡略化が可能になる。
【図面の簡単な説明】
【図１】本発明の一実施形態に係る周波数シンセサイザ回路の構成を示すブロック図である。
【図２】一実施形態の変形例に係る周波数シンセサイザ回路の構成を示すブロック図である。
【図３】周波数シンセサイザ回路の構成の一例を示すブロック図である。
【図４】周波数設定回路の具体的な構成例を示すブロック図である。
【図５】周波数同時コントロールの場合のコントロールビットとそのビット内容との関係を示す図である。
【図６】送信周波数を基準にした場合の送信ローカル信号の周波数ｆｔｘと受信ローカル信号の周波数ｆｒｘとの関係を示す図である。
【図７】Ｗ−ＣＤＭＡ方式のコンプレスモードの説明図である。
【図８】ＣＤＭＡ方式携帯電話におけるＲＦフロントエンド部の構成の一例を示すブロック図である。
【符号の説明】
１０…受信系周波数シンセサイザ回路、１１，２１…ローカル信号発生回路、１２，２２…周波数設定回路、２０…送信系周波数シンセサイザ回路、３４…制御線、５１−１〜５１−ｎ…シリアル−パラレル変換回路、５２−１〜５２−ｎ…データ保持回路、５３…選択スイッチ、５５…オフセット周波数設定回路
【図１】
2004088529.tif 000003
【図２】
2004088529.tif 000004
【図３】
2004088529.tif 000005
【図４】
2004088529.tif 000006
【図５】
2004088529.tif 000007
【図６】
2004088529.tif 000008
【図７】
2004088529.tif 000009
【図８】
2004088529.tif 000010